(57)【要約】【課題】既存の基地局に手を加える（改造する）ことなく、且つ応答速度が要求されるノンリアルタイムページングをそれ以外のノンリアルタイムページングに優先して基地局へ送信することが可能なページング負荷分散方法を提供する。【解決手段】基地局制御局が、すべての受信リアルタイムページングをノンリアルタイムページングに優先して送信し、基地局が非輻輳状態のとき、第１のノンリアルタイムページングをリアルタイムページングの送信終了後送信し、第１のノンリアルタイムページングの送信後に第２のノンリアルタイムページングを基地局へ送信し、基地局が輻輳状態のときすべてのノンリアルタイムページングを待ち合わせ、輻輳状態が復旧したとき、待ち合わせ中の第１のノンリアルタイムページングの送信後に第２のノンリアルタイムページングを送信する。【選択図】　　　図２
2004032294.tif 000002
【特許請求の範囲】
【請求項１】
固定電話網およびインターネット網からページングを受信し移動通信端末へ着信する移動通信システムにおいて、前記ページングを受信し基地局を介して前記移動通信端末へ着信する基地局制御局が、回線交換機を介して前記固定電話網からリアルタイムページングを受信すると共に、パケット交換機を介して前記インターネット網からノンリアルタイムページングを受信し、受信した前記ページングの内すべての前記リアルタイムページングは前記基地局へ送信し、前記基地局が輻輳状態のとき受信したすべての前記ノンリアルタイムページングを前記基地局へ送信せずに保持して待ち合わせ、前記基地局の輻輳状態が復旧したとき、待ち合わせした前記ノンリアルタイムページングを前記基地局へ送信することを特徴とするページング負荷分散方法。
【請求項２】
前記リアルタイムページングは、音声通信用のページングであることを特徴とする請求項１記載のページング負荷分散方法。
【請求項３】
前記ノンリアルタイムページングは、データ通信用のページングであることを特徴とする請求項１記載のページング負荷分散方法。
【請求項４】
前記ノンリアルタイムページングは、予め設定した最大待ち合わせ時間内に前記基地局の輻輳状態が復旧したとき基地局へ送信することを特徴とする請求項１記載のページング負荷分散方法。
【請求項５】
前記ノンリアルタイムページングは、予め設定した最大待ち合わせ時間内に前記基地局の輻輳状態が復旧しないとき破棄することを特徴とする請求項１記載のページング負荷分散方法。
【請求項６】
固定電話網およびインターネット網からページングを受信し移動通信端末へ着信する移動通信システムにおいて、前記ページングを受信し基地局を介して前記移動通信端末へ着信する基地局制御局が、回線交換機を介して前記固定電話網からのリアルタイムページングおよびパケット交換機を介して前記インターネット網からのノンリアルタイムページングを含む前記ページングを単位時間（Ｔ）毎に受信する第１のステップと、前記第１のステップで受信した前記ページングをリアルタイムページングとノンリアルタイムページングとに区分する第２のステップと、前記第２のステップにおいて区分されたすべての前記リアルタイムページングを優先して基地局へ送信する第３のステップと、前記基地局を監視し前記基地局の非輻輳状態を検出したとき、前記第２のステップにおいて区分されたすべての前記ノンリアルタイムページングを前記基地局へ送信する第４のステップと、前記第４のステップにおいて前記基地局の輻輳状態を検出したとき、受信した前記単位時間（Ｔ）の直前の単位時間（Ｔ−１）が輻輳状態か否かを確認し、非輻輳状態のとき前記第２のステップにおいて区分されたすべての前記ノンリアルタイムページングを前記基地局へ送信し、輻輳状態のとき前記第２のステップにおいて区分されたすべての前記ノンリアルタイムページングをメモリに一時格納し待ち合わせる第５のステップと、前記単位時間（Ｔ）に続く次の単位時間（Ｔ＋１）経過したとき前記基地局の前記輻輳状態が継続中か否かを確認し、非輻輳状態のとき前記待ち合わせ中の前記ノンリアルタイムページングを前記基地局へ送信し、輻輳状態継続中のとき前記待ち合わせを継続し、前記輻輳継続中が前記単位時間（Ｔ）に続く所定の単位時間（Ｔ＋Ｎ）経過したとき、前記待ち合わせ中の前記ノンリアルタイムページングを破棄する第６のステップとを有することを特徴とするページング負荷分散方法。
【請求項７】
固定電話網およびインターネット網からページングを受信し移動通信端末へ着信する移動通信システムにおいて、前記ページングを受信し基地局を介して前記移動通信端末へ着信する基地局制御局が、回線交換機を介して前記固定電話網からリアルタイムページングを受信すると共に、パケット交換機を介して前記インターネット網からノンリアルタイムページングを受信し、受信した前記ページングの内すべての前記リアルタイムページングを前記ノンリアルタイムページングに優先して前記基地局へ送信し、前記基地局の輻輳状態を監視し、前記基地局が非輻輳状態のとき、受信した前記ノンリアルタイムページングを第１のノンリアルタイムページングと第１のノンリアルタイムページングとに区分し、前記第１のノンリアルタイムページングを前記リアルタイムページングの送信後に前記基地局へ送信し、前記第１のノンリアルタイムページングの送信後に前記第２のノンリアルタイムページングを前記基地局へ送信し、前記基地局が輻輳状態のとき受信したすべての前記ノンリアルタイムページングを前記基地局へ送信せずに保持して待ち合わせ、前記基地局の輻輳状態が復旧したとき、待ち合わせした前記ノンリアルタイムページングの内、前記第１のノンリアルタイムページングを優先して前記基地局へ送信した後、前記第２のノンリアルタイムページングを前記基地局へ送信することを特徴とするページング負荷分散方法。
【請求項８】
前記リアルタイムページングは、音声通信用のページングであることを特徴とする請求項７記載のページング負荷分散方法。
【請求項９】
前記ノンリアルタイムページングは、データ通信用のページングであることを特徴とする請求項７記載のページング負荷分散方法。
【請求項１０】
前記第１のノンリアルタイムページングは、応答速度が要求されるノンリアルタイムページングであることを特徴とする請求項７記載のページング負荷分散方法。
【請求項１１】
前記第２のノンリアルタイムページングは、応答速度が要求されない前記第１のノンリアルタイムページング以外のノンリアルタイムページングであることを特徴とする請求項７記載のページング負荷分散方法。
【請求項１２】
前記ノンリアルタイムページングは、予め設定した最大待ち合わせ時間内に前記基地局の輻輳状態が復旧したとき、前記第１のノンリアルタイムページングを前記基地局へ送信した後に、前記第２のノンリアルタイムページングを前記基地局へ送信することを特徴とする請求項７記載のページング負荷分散方法。
【請求項１３】
前記ノンリアルタイムページングは、予め設定した最大待ち合わせ時間内に前記基地局の輻輳状態が復旧しないとき破棄することを特徴とする請求項７記載のページング負荷分散方法。
【請求項１４】
固定電話網およびインターネット網からページングを受信し移動通信端末へ着信する移動通信システムにおいて、前記ページングを受信し基地局を介して前記移動通信端末へ着信する基地局制御局が、回線交換機を介して前記固定電話網からのリアルタイムページングおよびパケット交換機を介して前記インターネット網からノンリアルタイムページングを含む前記ページングを単位時間（Ｔ）毎に受信する第１のステップと、前記第１のステップで受信した前記ページングをリアルタイムページングとノンリアルタイムページングとに区分する第２のステップと、前記第２のステップにおいて区分されたすべての前記リアルタイムページングを優先して基地局へ送信する第３のステップと、前記基地局を監視し前記基地局の非輻輳状態を検出したとき、受信した前記ノンリアルタイムページングを応答速度が要求される第１のノンリアルタイムページングと前記第１のノンリアルタイムページング以外の第２のノンリアルタイムページングとに区分し、前記第１のノンリアルタイムページングを前記第２のステップにおける前記リアルタイムページングの送信終了を待って前記基地局に送信する第４のステップと、前記第４のステップにおける前記第１のノンリアルタイムページングの送信終了を待って前記第２のノンリアルタイムページングを前記基地局へ送信する第５のステップと、前記第４のステップにおいて前記基地局の輻輳状態を検出したとき、受信した前記単位時間（Ｔ）の直前の単位時間（Ｔ−１）が輻輳状態か否かを確認し、非輻輳状態のとき前記第２のステップにおいて区分されたすべての前記ノンリアルタイムページングを前記第４ステップおよび第５のステップを経由して前記基地局へ送信し、前記単位時間（Ｔ）の直前の単位時間（Ｔ−１）が輻輳状態のとき前記第２のステップにおいて区分されたすべての前記ノンリアルタイムページングをメモリに一時格納し待ち合わせる第６のステップと、前記単位時間（Ｔ）に続く次の単位時間（Ｔ＋１）経過したとき前記基地局の前記輻輳状態が継続中か否かを確認し、非輻輳状態のとき前記待ち合わせ中の前記ノンリアルタイムページングを前記ステップ４およびステップ５を経由して前記基地局へ送信し、輻輳状態継続中のとき前記待ち合わせを継続し、前記輻輳継続中が前記単位時間（Ｔ）に続く所定の単位時間（Ｔ＋Ｎ）経過したとき、前記待ち合わせ中の前記ノンリアルタイムページングを破棄する第７のステップとを有することを特徴とするページング負荷分散方法。
【発明の詳細な説明】
【０００１】
【発明の属する技術分野】
本発明は、移動通信システムにおける移動機に対するページング方法に関し、特に輻輳時におけるページング負荷分散方法に関する。
【０００２】
【従来の技術】
近年、携帯電話機に代表される移動通信端末の普及に伴い移動通信端末を呼び出すための信号であるページングが年々増え続けている。そのため基地局において輻輳状態が発生し呼損が生じる場合がある。
【０００３】
移動通信端末と無線回線を介して直接種々信号の送受信を行う基地局においては、単位時間に送信できるページング数が無線インタフェースによって決められるため、その限度を超えたページングは破棄され呼損が生じる。
【０００４】
基地局を増設し、基地局当たりのページング数を減少させることにより輻輳は回避できるが、膨大の設備投資が必要になる。
【０００５】
一方、このページングには音声通話のような即時性が要求されるリアルタイムページングと、データ通信のような必ずしも即時性が要求されないノンリアルタイムページングがある。
【０００６】
そのため、基地局において、呼出信号（ページング信号）に優先順位を付けて管理して送信順番を変更し、ランダムに発生する呼出信号送信を時間的に平均化させることにより、呼出信号の破棄を回避する技術が、例えば特開２００２−５１３７６号公報に開示されている。
【０００７】
図５は上記従来技術のシステム構成図であり、基地局１００と、制御局２００と、移動局３００とから構成され、基地局１００は、バッファリング部１１０と無線変復調部１２０から構成されている。
【０００８】
例えば、性質の異なる呼出信号としてリアルタイムで信号送信・応答を必要とする音声呼出信号（以下、ＰＣＨＶ）と、リアルタイムで信号送信・応答を必要としないデータ呼出信号（以下、ＰＣＨＰ）の２種類の呼出信号がある場合、バッファリング部１１０は、リアルタイムで信号送信、応答を必要とする音声呼出信号（ＰＣＨＶ）を格納するリアルタイム用バッファ１１１、リアルタイムで信号送信・応答を必要としないデータ呼出信号（ＰＣＨＰ）を格納する非リアルタイム用バッファ１１２、および受信した呼出信号がＰＣＨＶ（音声呼出信号）、ＰＣＨＰ（データ呼出信号）のいずれの信号であるか判定する判定部１１３から構成されている。
【０００９】
次に図６のフローチャートを参照し基地局の動作について説明する。
呼出信号を二分して、即時に信号送信・応答を必要とする音声呼出信号（ＰＣＨＶ）と、即時に信号送信・応答を必要としないデータ呼出信号（ＰＣＨＰ）の２種類とする。
【００１０】
基地局１００において、バッファリング部１１０にリアルタイム用バッファ１１１と非リアルタイム用バッファ１１２の２つのバッファを用意し、制御局２００から信号を受信する（Ｓ３０１）。
【００１１】
受信した信号がＰＣＨＶ，ＰＣＨＰのいずれであるかを判定部１１３において判定し、ＰＣＨＶである場合には、ステップＳ３０３に移行し、ＰＣＨＰである場合には、ステップＳ３０４に移行する（Ｓ３０２）。
【００１２】
ＰＣＨＶは、リアルタイム用バッファ１１１に格納し、ステップＳ３０５に移行する（Ｓ３０３）。
【００１３】
ＰＣＨＰは、非リアルタイム用バッファ１１２に格納し、ステップＳ３０６に移行する（Ｓ３０４）。
【００１４】
ＰＣＨＶを優先的にリアルタイム用バッファ１１１から移動局３００に送信し、ＰＣＨＰを後回しにする（Ｓ３０５）。
【００１５】
ＰＣＨＶが少なくなり、無線区間に空ができたかを判定し、空ができない場合には、ステップＳ３０５に移行して、ＰＣＨＶを移動局３００に送信する処理を続行する（Ｓ３０６）。
【００１６】
無線区間に空ができた場合には、ＰＣＨＰを非リアルタイム用バッファ１１１から移動局３００に送信する（Ｓ３０７）。
【００１７】
上記の処理において、ＰＣＨＰの信号送信・応答はＰＣＨＰに比べて遅れるが非リアルタイム性呼出信号であるため問題にならない。そのため、リアルタイム性呼出信号の応答信号を交換局で受け付けられない現象は低減する。
【００１８】
また、ランダムに発生する呼出信号送信を時間的に平均化し、呼出信号の破棄を回避することができる。
【００１９】
このように、基地局内部で性質毎に呼出信号を別管理し、優先順位を付け、送信順番を変化させ、ランダムに発生する呼出信号送信を時間的に平均化させることにより、呼出信号破棄を回避することが可能となる。
【００２０】
つまり、移動通信システムにおいて、呼出信号を応答の必要な音声呼出信号とリアルタイムでの応答の必要のないデータ呼出信号を別のバッファに格納し、音声呼出信号を優先的に送信することにより、呼出信号の破棄を回避することを可能としたものである。
【００２１】
【発明が解決しようとする課題】
上述したように従来技術は、基地局において、呼出信号を応答の必要な音声呼出信号とリアルタイムでの応答の必要のないデータ呼出信号をそれぞれ別のバッファに格納し、音声呼出信号を優先的に送信することにより、呼出信号の破棄を回避することを可能としたものである。
【００２２】
しかしながら上記従来技術は、次のような幾つかの課題を有している。
【００２３】
第１の課題は、基地局における輻輳制御処理であるため、基地局と移動通信端末間の無線インタフェースにより、基地局から単位時間に移動通信端末へ送信できる最大ページング数が決まっており、基地局制御局から最大ページング数を超えるページング数が送信された場合には基地局において破棄され、呼損が発生する。
【００２４】
第２の課題は、音声呼出信号（リアルタイム）とデータ呼出信号（ノンリアルタイムページグ）を格納する専用のバッファメモリを１つの制御局の制御下にある複数の基地局個々に用意する必要があり、基地局の製造コストが高くなる要因となる。
【００２５】
また、バッファメモリの容量も大きな容量が必要になり、既存のメモリでは容量不足が発生する。
【００２６】
第３の課題は、バッファメモリに格納したデータ呼出信号は移動通信端末との無線区間に空きができたとき移動通信端末へ送信するが、無線区間に空きができない限り待ち合わせが継続するため、バッファメモリの容量は更に大きな容量が必要になる。
【００２７】
第４の課題は、データ通信呼出信号の中にも速い応答速度が要求されるものもあり、例えば対戦ゲームの場合に、一般のデータ通信に優先して送信処理することができない。
【００２８】
本発明の目的は、既存の基地局に手を加える（改造する）ことなく、且つデータ通信用のページングを応答速度を要求されるノンリアルタイムとそれ以外のノンリアルタイムページングとに区分し、応答速度が要求されるノンリアルタイムページングをそれ以外のノンリアルタイムページングに優先して基地局へ送信することが可能なページング負荷分散方法を提供することにある。
【００２９】
【課題を解決するための手段】
本発明のページング負荷分散方法は、固定電話網およびインターネット網からページングを受信し移動通信端末へ着信する移動通信システムにおいて、前記ページングを受信し基地局を介して前記移動通信端末へ着信する基地局制御局が、回線交換機を介して前記固定電話網からリアルタイムページングを受信すると共に、パケット交換機を介して前記インターネット網からノンリアルタイムページングを受信し、受信した前記ページングの内すべての前記リアルタイムページングは前記基地局へ送信し、前記基地局が輻輳状態のとき受信したすべての前記ノンリアルタイムページングを前記基地局へ送信せずに保持して待ち合わせ、前記基地局の輻輳状態が復旧したとき、待ち合わせした前記ノンリアルタイムページングを前記基地局へ送信することを特徴とする。
【００３０】
また、前記リアルタイムページングは、音声通信用のページングであることを特徴とする。
【００３１】
また、前記ノンリアルタイムページングは、データ通信用のページングであることを特徴とする。
【００３２】
また、前記ノンリアルタイムページングは、予め設定した最大待ち合わせ時間内に前記基地局の輻輳状態が復旧したとき基地局へ送信することを特徴とする。
【００３３】
また、前記ノンリアルタイムページングは、予め設定した最大待ち合わせ時間内に前記基地局の輻輳状態が復旧しないとき破棄することを特徴とする。
【００３４】
また、固定電話網およびインターネット網からページングを受信し移動通信端末へ着信する移動通信システムにおいて、前記ページングを受信し基地局を介して前記移動通信端末へ着信する基地局制御局が、回線交換機を介して前記固定電話網からのリアルタイムページングおよびパケット交換機を介して前記インターネット網からのノンリアルタイムページングを含む前記ページングを単位時間（Ｔ）毎に受信する第１のステップと、前記第１のステップで受信した前記ページングをリアルタイムページングとノンリアルタイムページングとに区分する第２のステップと、前記第２のステップにおいて区分されたすべての前記リアルタイムページングを優先して基地局へ送信する第３のステップと、前記基地局を監視し前記基地局の非輻輳状態を検出したとき、前記第２のステップにおいて区分されたすべての前記ノンリアルタイムページングを前記基地局へ送信する第４のステップと、前記第４のステップにおいて前記基地局の輻輳状態を検出したとき、受信した前記単位時間（Ｔ）の直前の単位時間（Ｔ−１）が輻輳状態か否かを確認し、非輻輳状態のとき前記第２のステップにおいて区分されたすべての前記ノンリアルタイムページングを前記基地局へ送信し、輻輳状態のとき前記第２のステップにおいて区分されたすべての前記ノンリアルタイムページングをメモリに一時格納し待ち合わせる第５のステップと、前記単位時間（Ｔ）に続く次の単位時間（Ｔ＋１）経過したとき前記基地局の前記輻輳状態が継続中か否かを確認し、非輻輳状態のとき前記待ち合わせ中の前記ノンリアルタイムページングを前記基地局へ送信し、輻輳状態継続中のとき前記待ち合わせを継続し、前記輻輳継続中が前記単位時間（Ｔ）に続く所定の単位時間（Ｔ＋Ｎ）経過したとき、前記待ち合わせ中の前記ノンリアルタイムページングを破棄する第６のステップとを有することを特徴とする。
【００３５】
また、固定電話網およびインターネット網からページングを受信し移動通信端末へ着信する移動通信システムにおいて、前記ページングを受信し基地局を介して前記移動通信端末へ着信する基地局制御局が、回線交換機を介して前記固定電話網からリアルタイムページングを受信すると共に、パケット交換機を介して前記インターネット網からノンリアルタイムページングを受信し、受信した前記ページングの内すべての前記リアルタイムページングを前記ノンリアルタイムページングに優先して前記基地局へ送信し、前記基地局の輻輳状態を監視し、前記基地局が非輻輳状態のとき、受信した前記ノンリアルタイムページングを第１のノンリアルタイムページングと第１のノンリアルタイムページングとに区分し、前記第１のノンリアルタイムページングを前記リアルタイムページングの送信後に前記基地局へ送信し、前記第１のノンリアルタイムページングの送信後に前記第２のノンリアルタイムページングを前記基地局へ送信し、前記基地局が輻輳状態のとき受信したすべての前記ノンリアルタイムページングを前記基地局へ送信せずに保持して待ち合わせ、前記基地局の輻輳状態が復旧したとき、待ち合わせした前記ノンリアルタイムページングの内、前記第１のノンリアルタイムページングを優先して前記基地局へ送信した後、前記第２のノンリアルタイムページングを前記基地局へ送信することを特徴とする。
【００３６】
また、前記リアルタイムページングは、音声通信用のページングであることを特徴とする。
【００３７】
また、前記ノンリアルタイムページングは、データ通信用のページングであることを特徴とする。
【００３８】
また、前記第１のノンリアルタイムページングは、応答速度が要求されるノンリアルタイムページングであることを特徴とする。
【００３９】
また、前記第２のノンリアルタイムページングは、応答速度が要求されない前記第１のノンリアルタイムページング以外のノンリアルタイムページングであることを特徴とする。
【００４０】
また、前記ノンリアルタイムページングは、予め設定した最大待ち合わせ時間内に前記基地局の輻輳状態が復旧したとき、前記第１のノンリアルタイムページングを前記基地局へ送信した後に、前記第２のノンリアルタイムページングを前記基地局へ送信することを特徴とする。
【００４１】
また、前記ノンリアルタイムページングは、予め設定した最大待ち合わせ時間内に前記基地局の輻輳状態が復旧しないとき破棄することを特徴とする。
【００４２】
また、固定電話網およびインターネット網からページングを受信し移動通信端末へ着信する移動通信システムにおいて、前記ページングを受信し基地局を介して前記移動通信端末へ着信する基地局制御局が、回線交換機を介して前記固定電話網からのリアルタイムページングおよびパケット交換機を介して前記インターネット網からノンリアルタイムページングを含む前記ページングを単位時間（Ｔ）毎に受信する第１のステップと、前記第１のステップで受信した前記ページングをリアルタイムページングとノンリアルタイムページングとに区分する第２のステップと、前記第２のステップにおいて区分されたすべての前記リアルタイムページングを優先して基地局へ送信する第３のステップと、前記基地局を監視し前記基地局の非輻輳状態を検出したとき、受信した前記ノンリアルタイムページングを応答速度が要求される第１のノンリアルタイムページングと前記第１のノンリアルタイムページング以外の第２のノンリアルタイムページングとに区分し、前記第１のノンリアルタイムページングを前記第２のステップにおける前記リアルタイムページングの送信終了を待って前記基地局に送信する第４のステップと、前記第４のステップにおける前記第１のノンリアルタイムページングの送信終了を待って前記第２のノンリアルタイムページングを前記基地局へ送信する第５のステップと、前記第４のステップにおいて前記基地局の輻輳状態を検出したとき、受信した前記単位時間（Ｔ）の直前の単位時間（Ｔ−１）が輻輳状態か否かを確認し、非輻輳状態のとき前記第２のステップにおいて区分されたすべての前記ノンリアルタイムページングを前記第４ステップおよび第５のステップを経由して前記基地局へ送信し、前記単位時間（Ｔ）の直前の単位時間（Ｔ−１）が輻輳状態のとき前記第２のステップにおいて区分されたすべての前記ノンリアルタイムページングをメモリに一時格納し待ち合わせる第６のステップと、前記単位時間（Ｔ）に続く次の単位時間（Ｔ＋１）経過したとき前記基地局の前記輻輳状態が継続中か否かを確認し、非輻輳状態のとき前記待ち合わせ中の前記ノンリアルタイムページングを前記ステップ４およびステップ５を経由して前記基地局へ送信し、輻輳状態継続中のとき前記待ち合わせを継続し、前記輻輳継続中が前記単位時間（Ｔ）に続く所定の単位時間（Ｔ＋Ｎ）経過したとき、前記待ち合わせ中の前記ノンリアルタイムページングを破棄する第７のステップとを有することを特徴とする。
【００４３】
【発明の実施の形態】
本発明の実施の形態について図面を参照して説明する。
【００４４】
図１は本発明の主要構成を示すシステム構成図、図２は第１の実施の形態の基地局制御局における負荷分散制御のフローチャート、図３は第２の実施の形態のノンリアルタイムページングの優先順位付けの一例を示す図、図４は第２の実施の形態の基地局制御局における負荷分散制御のフローチャートである。
【００４５】
最初に図１、２を参照して第１の実施の形態について説明する。
本発明のシステム構成は図１に示すように、移動通信端末１０、基地局２０、基地局制御局３０、回線交換機４０、関門交換機５０、固定電話網６０、パケット交換機７０、ゲートウェイ８０、インターネット網９０から構成されている。
【００４６】
固定電話網６０に収容されている固定電話機（図示せず）からの移動通信端末１０への音声通話発信は、リアルタイムページング（ＲＴ）として、関門交換機５０、回線交換機４０を介して基地局制御局３０に送信される。
【００４７】
また、インターネット９０からの移動通信端末への例えばメール送信は、ノンリアルタイムページング（ＮＲＴ）として、ゲートウェイ８０、パケット交換機７０を介して基地局制御局３０へ送信される。
【００４８】
基地局制御局３０は、予め設定された、単位時間（Ｔ）に受信したすべてのページング信号をカウントし、単位時間（Ｔ）に受信したページング数が受信ページングしきい値（Ｐ）を超えた場合、ページングが輻輳状態にあることを判定する。
【００４９】
また、受信したページング数が受信ページングしきい値（Ｐ）未満の場合、ページングが非輻輳状態であることを判定する。
【００５０】
受信ページングしきい値（Ｐ）は基地局２０と移動通信端末１０間の無線インタフェースによって決まる。無線インタフェース上、基地局２０から単位時間に移動通信端末１０へ送信できる最大ページング数が決まっており、それを超えたページングを送信した場合には基地局２０において破棄される。
【００５１】
基地局制御局３０は、回線交換機４０およびパケット交換機７０からページングを受信したとき、リアルタイムページング（ＲＴ）か、ノンリアルタイムページング（ＮＲＴ）かページング種別を識別する。
【００５２】
リアルタイムページング（ＲＴ）であった場合、そのリアルタイムページングを基地局２０へ送信する。ノンリアルタイムページング（ＮＲＴ）であった場合、直前の単位時間（Ｔ−１）におけるページングの輻輳状態を確認する。
【００５３】
直前の単位時間（Ｔ−１）にページングの輻輳状態が発生していない場合、そのノンリアルタイムページング（ＮＲＴ）を基地局２０へ送信する。直前の単位時間（Ｔ−１）にページングの輻輳状態が発生している場合、そのノンリアルタイムページング（ＮＲＴ）を基地局２０へ送信せず、基地局制御局内のメモリ（図示せず）に受信順に一時格納し、待ち合わせる。
【００５４】
次の単位時間（Ｔ＋１）でも同様に、受信したすべてのページング数をカウントし、受信したページングがリアルタイムページングかノンリアルタイムページングかを識別し、すべてのリアルタイムページング（ＲＴ）を基地局２０へ送信する。
【００５５】
単位時間（Ｔ＋１）のタイムアウト後、再度ページングが輻輳状態にあるか否かを確認する。直前の単位時間（Ｔ）におけるページングの輻輳状態が非輻輳状態に復旧していない（継続中の）場合は、単位時間（Ｔ＋１）で受信したノンリアルタイムページング（ＮＲＴ）はメモリに格納して待ち合わせする。なお、ノンリアルタイムページング（ＮＲＴ）のメモリへの格納は時系列（受信順）に且つ単位時間毎に所定の符号を付して格納する。
【００５６】
直前の単位時間（Ｔ）におけるページングの輻輳状態が非輻輳状態に復旧している場合、単位時間（Ｔ）において受信した待ち合わせ中のノンリアルタイムページング（ＮＲＴ）を基地局２０へ送信する。
【００５７】
このとき、単位時間（Ｔ）において受信した待ち合わせ中のノンリアルタイムページング（ＮＲＴ）数が、インタフェース上送信可能な最大ページング送信数より少なく、送信数に余裕があるときは、単位時間（Ｔ＋１）において受信した待ち合わせ中のノンリアルタイムページング（ＮＲＴ）を余裕数分だけ、単位時間（Ｔ）において受信した待ち合わせ中のノンリアルタイムページング（ＮＲＴ）と併せて受信した順序（メモリへの格納順）に基地局２０へ送信する。
【００５８】
また、単位時間（Ｔ）において待ち合わせたノンリアルタイムページング数が余裕送信数より多い場合は、残りのノンリアルタイムページング（ＮＲＴ）は、単位時間（Ｔ＋１）で受信したノンリアルタイムページングと共にメモリに残り再び待ち合わせ状態となる。
【００５９】
ノンリアルタイムページング（ＮＲＴ）は、最大Ｎ回×単位時間（Ｔ）まで待ち合わせが行われ、最大待ち合わせ時間（＝単位時間Ｔ×Ｎ）内にページングの輻輳状態が非輻輳状態に復旧しない場合はそのノンリアルタイムページング（ＮＲＴ）は破棄される。
【００６０】
最終的には破棄されたノンリアルタイムページング（ＮＲＴ）はパケット交換機７０からの再送により移動機１０に送信することになる。
【００６１】
次に図２に図１を併せて参照し第１の実施の形態のページングの輻輳判定および輻輳時におけるノンリアルタイムの待ち合わせ処理について説明する。なお、ここではリアルタイムページング（ＲＴ）は、固定電話網６０に収容された固定電話機（図示せず）から移動通信端末１０への音声通話発信とし、ノンリアルタイムページング（ＮＲＴ）はインターネット網９０から移動通信端末へのメール送信として説明する。
【００６２】
基地局制御局３０は、回線交換機４０およびパケット交換機７０と接続し、固定電話網６０およびインターネット網９０からリアルタイムページング信号およびノンリアルタイムページング信号を所定の単位時間（Ｔ）受信する（Ｓ１０１）。このとき基地局制御局３０は所定の単位時間（Ｔ）に受信したすべてのページング信号をカウントする。
【００６３】
基地局制御局３０は、受信したページングがリアルタイムページング（ＲＴ）かノンリアルタイムページング（ＮＲＴ）かを判定する（Ｓ１０２）。なお、このページングの種別判定は、回線交換機４０およびパケット交換機７０でページング信号に付加されたページング種別符号により行う。
【００６４】
ステップＳ１０２における判定結果がリアタイムページング（ＲＴ）であるときは、受信したすべてのリアルタイムページング信号を基地局２０へ送信する（Ｓ１０３）。
【００６５】
基地局２０は、基地局制御局３０から受信したリアルタイムページング（ＲＴ）のうち、移動通信端末１０との間の無線インタフェースにより決まる最大送信ページング数分のリアルタイムページング信号を着信順に移動通信端末１０へ送信し、最大送信ページング数を超えるリアルタイムページング信号は破棄する。
【００６６】
基地局制御局３０は、ステップＳ１０２における判定結果がノンリアルタイムページング（ＮＲＴ）であるときは、ステップＳ１０１において単位時間（Ｔ）に受信したノンリアルタイムページング数を予め設定されているしきい値（Ｐ）と比較し、基地局２０が輻輳状態（しきい値以上）か非輻輳状態（しきい値以下）か否かを判定する（Ｓ１０４）。
【００６７】
ステップＳ１０４における判定結果が非輻輳状態である場合には、ノンリアルタイムページング信号を基地局２０へ送信する（Ｓ１０５）。
【００６８】
ステップＳ１０４における判定結果が輻輳状態である場合には、直前の単位時間（Ｔ−１）の輻輳状態を、ページングの受信時にカウントしたページング数により判定する（Ｓ１０６）。なお、カウントした直前の単位時間（Ｔ−１）ページング数は所定の方法で保持されているものとする。
【００６９】
ステップＳ１０６における判定結果が非輻輳状態である場合には受信したノンリアルタイムページング信号を基地局２０へ送信し（Ｓ１０５）、判定結果が輻輳状態である場合には、ノンリアルタイムページング信号を受信順にメモリ（図示せず）に一時格納し待ち合わせを行う（Ｓ１０７）。
【００７０】
基地局制御局３０は、単位時間（Ｔ）に続く単位時間（Ｔ＋１）でも同様に受信したすべてのページング数をカウントし、受信したページングがリアルタイムページング（ＲＴ）かノンリアルタイムページング（ＮＲＴ）かを識別し、リアルタイムページング（ＲＴ）をすべて基地局２０へ送信する。
【００７１】
基地局制御局３０は、単位時間（Ｔ＋１）が経過したとき（Ｓ１０８）、再び単位時間（Ｔ＋１）で受信したすべてのページング数をしきい値と比較し、輻輳状態か非輻輳状態かを判定する（Ｓ１０９）。
【００７２】
ステップＳ１０９における判定結果が非輻輳状態（単位時間（Ｔ）における輻輳状態が復旧しているとき）であるときは、ステップＳ１０５へ移行し、単位時間（Ｔ）においてメモリに一時格納して待ち合わせしていたノンリアルタイムページング（ＮＲＴ）を基地局２０へ送信する。
【００７３】
このとき、単位時間（Ｔ）において受信した待ち合わせ中のリアルタイムページング数が、インタフェース上送信可能な最大ページング送信数より少なく送信数に余裕があるときは、ステップＳ１０５へ移行し、単位時間（Ｔ＋１）において待ち合わせたノンリアルタイムページングを余裕送信数分だけ、単位時間（Ｔ）において受信した待ち合わせ中のリアルタイムページングと併せて受信した順序に基地局２０へ送信する。
【００７４】
また、単位時間（Ｔ）において待ち合わせたノンリアルタイムページング数が最大ページング送信数より多い場合は、残りのノンリアルタイムページング（ＮＲＴ）はメモリに残り再び待ち合わせ状態となる。
【００７５】
ステップＳ１０９における判定結果が輻輳状態（単位時間（Ｔ−１）における輻輳状態が継続しているとき）であるときは、メモリに一時格納して待ち合わせしていたノンリアルタイムページング（ＮＲＴ）の待ち合わせを継続すると共に、ステップＳ１０８へ移行し単位時間（Ｔ＋２、Ｔ＋３、ＴＮ）毎に同様な動作を繰り返す（Ｓ１１０）。
【００７６】
ステップＳ１０８〜Ｓ１１０における動作を繰り返し、予め設定した最大待ち合わせ時間（単位時間Ｔ×Ｎ回）内に輻輳状態が継続し非輻輳状態に復旧しない場合には、メモリに一時格納し待ち合わせ中であったノンリアルタイムページング信号を破棄する（Ｓ１１１）。
【００７７】
ステップＳ１０４、ステップＳ１０６、ステップＳ１０９における判定結果が非輻輳状態であるときは、ノンリアルタイムページング信号が基地局２０へ送信され（Ｓ１０５）、移動通信端末１０が応答すると音声通話またはメール受信が行われる。
【００７８】
次に第２の実施の形態ついて図３、図４を参照して説明する。
【００７９】
上記のように第１の実施の形態では、基地局制御局が受信したページングがリアルタイムページングかノンリアルタイムページングかを識別し、リアルタイムページングは即時に基地局へ送信し、ノンリアルタイムページングの場合は、基地局の輻輳状態を監視し、非輻輳状態であるときはノンリアルタイムページングを基地局へ送信し、輻輳状態のときはメモリに一時格納し基地局への送信を待ち合わせ、輻輳状態が復旧して非輻輳状態に復旧したときメモリへの格納順（ノンリアルタイムページングの受信順）に基地局へ送信するが、すなわちノンリアルタイムページングは着信順（受信順）転送されるが、ノンリアルタイムページングを使用用途に応じて優先順位を付けて基地局へ送信してもよい。
【００８０】
例えば、ノンリアルタイムページングを対戦ゲームページングと対戦ゲーム以外ページングに分類することができる。対戦ゲームページングは対戦ゲーム以外ページングよりも、素早い応答が要求されるため、優先して基地局に送信する。
【００８１】
対戦ゲーム以外のページングはリアルタイムページング、対戦ゲームページングが全て送信した後に基地局へ送信する。
【００８２】
図３に示すように、ノンリアルタイムページングを高速処理が要求されるノンリアルタイムページング（ＮＲＴ１）とそれ以外のノンリアルタイムページング（ＮＲＴ２）に区分し、リアルタイムページング（ＲＴ）と共に３種別に分類する。
【００８３】
第１の実施の形態と同様に、リアルタイムページング（ＲＴ）は即時に基地局２０へ送信し、ノンリアルタイムページング（ＮＲＴ１およびＮＲＴ２）も、輻輳時は待ち合わせ処理を行い非輻輳時に基地局へ送信するが、高速処理が要求されるノンリアルタイムページング（ＮＲＴ１：例えば対戦ゲームページング）は非輻輳時、輻輳時にかかわらずリアルタイムページングの送信終了を待って他のノンリアルタイムページング（ＮＲＴ２）に優先して基地局２０へ送信し、ノンリアルタイムページング（ＮＲＴ２）は、ノンリアルタイムページング（ＮＲＴ１）の送信終了後に基地局２０へ送信する。
【００８４】
次に図４を参照して第２の実施の形態のページングの輻輳判定および輻輳時におけるノンリアルタイムの待ち合わせ処理について説明する。
【００８５】
なお、ここではリアルタイムページング（ＲＴ）は、固定電話網６０に収容された固定電話機（図示せず）から移動通信端末１０への音声通話発信とし、ノンリアルタイムページング（ＮＲＴ）はインターネット網９０から移動通信端末への対戦ゲーム（ＮＲＴ１）とメール送信（ＮＲＴ２）として説明する。
【００８６】
基地局制御局３０は、回線交換機４０およびパケット交換機７０と接続し、固定電話網６０およびインターネット網９０からリアルタイムページング信号（ＲＴ）およびノンリアルタイムページング信号（ＮＲＴ）を単位時間（Ｔ）受信する（Ｓ２０１）。このとき基地局制御局３０は所定の単位時間（Ｔ）に受信したすべてのページング信号をカウントする。
【００８７】
基地局制御局３０は、受信したページングがリアルタイムページング（ＲＴ）かノンリアルタイムページング（ＮＲＴ）かを判定する（Ｓ２０２）。なお、このページングの種別判定は、回線交換機４０およびパケット交換機７０でページング信号に付加されたページング種別符号により行う。
【００８８】
ステップＳ２０２における判定結果がリアタイムページング（ＲＴ）であるときは、受信したすべてのリアルタイムページング信号を基地局２０へ送信する（Ｓ２０３）。
【００８９】
基地局２０は、基地局制御局３０から受信したリアルタイムページング（ＲＴ）のうち、移動通信端末１０との間の無線インタフェースにより決まる最大送信ページング数分のリアルタイムページング信号を着信順に移動通信端末１０へ送信し、最大送信ページング数を超えるリアルタイムページング信号は破棄する。
【００９０】
基地局制御局３０は、ステップＳ２０２における判定結果がノンリアルタイムページング（ＮＲＴ）であるときは、ステップＳ２０１において単位時間（Ｔ）に受信したノンリアルタイムページング数を予め設定されているしきい値（Ｐ）と比較し、基地局２０が輻輳状態（しきい値以上）か非輻輳状態（しきい値以下）か否かを判定する（Ｓ２０４）。
【００９１】
基地局制御局３０は、ステップＳ２０４における判定結果が非輻輳状態である場合には、ノンリアッルタイムページング（ＮＲＴ）が対戦ゲームページング（ＮＲＴ１）か対戦ゲームページング以外のノンリアルタイムページング（ＮＲＴ２）かを識別する（Ｓ２０５）。
【００９２】
基地局制御局３０は、ステップＳ２０５における判定結果が対戦ゲームページング（ＮＲＴ１）であるときは、リアルタイムページング（ＲＴ）の基地局２０への送信を監視し、リアルタイムページング（ＲＴ）の基地局２０への送信終了を待って（Ｓ２０６）、対戦ゲームページング（ＮＲＴ１）を基地局２０へ送信する（Ｓ２０７）。
【００９３】
ステップＳ２０５における判定が対戦ゲームページング以外のノンリアルタイムページング（ＮＲＴ２）であるときは、対戦ゲームページング（ＮＲＴ１）の基地局２０へ送信を監視し、対戦ゲームページング（ＮＲＴ１）の基地局２０へ送信終了を待って（Ｓ２０８）、対戦ゲームページング以外のノンリアルタイムページング（ＮＲＴ２）を基地局２０へ送信する（Ｓ２０９）。
【００９４】
ステップＳ２０４における判定結果が輻輳状態である場合には、直前の単位時間（Ｔ−１）の輻輳状態を、ページングの受信時にカウントしたページング数により判定する（Ｓ２１０）。なお、カウントした直前の単位時間（Ｔ−１）ページング数は所定の方法で保持されているものとする。
【００９５】
ステップＳ２１０における判定結果が非輻輳状態である場合には、ステップＳ２０５へ移行し、受信したノンリアルタイムページング（ＮＲＴ）が対戦ゲームページング（ＮＲＴ１）か対戦ゲームページング（ＮＲＴ１）以外のノンリアルタイムページング（ＮＲＴ２）かを識別する（Ｓ２０５）。
【００９６】
ステップＳ２０５における判定結果が対戦ゲームページング（ＮＲＴ１）であるときは、リアルタイムページング（ＲＴ）の送信終了を待って（Ｓ２０６）、基地局２０へ対戦ゲームページング（ＮＲＴ１）を送信する（Ｓ２０７）。
【００９７】
ステップＳ２１０における判定結果が輻輳状態である場合には、ノンリアルタイムページング信号（ＮＲＴ１およびＮＲＴ２）を受信順にメモリ（図示せず）に一時格納し待ち合わせを行う（Ｓ２１１）。
【００９８】
基地局制御局３０は、単位時間（Ｔ）に続く単位時間（Ｔ＋１）でも同様に受信したすべてのページング数をカウントし、受信したページングがリアルタイムページング（ＲＴ）かノンリアルタイムページング（ＮＲＴ）かを識別し、リアルタイムページングをすべて基地局２０へ送信する。
【００９９】
基地局制御局３０は、単位時間（Ｔ＋１）が経過したとき（Ｓ２１２）、再び単位時間（Ｔ＋１）で受信したすべてのページング数をしきい値と比較し、輻輳状態か非輻輳状態かを判定する（Ｓ２１３）。
【０１００】
ステップＳ２１３における判定結果が非輻輳状態（単位時間（Ｔ）における輻輳状態が復旧しているとき）であるときは、ステップＳ２０５へ移行し、単位時間（Ｔ）においてメモリに一時格納して待ち合わせしていたノンリアルタイムページングのうち、対戦ゲームページング（ＮＲＴ１）を、ステップＳ２０５、ステップＳ２０６、ステップＳ２０７の処理を経て基地局２０へ送信し、対戦ゲームページング以外のノンリアルタイムページング（ＮＲＴ２）は、ステップＳ２０５、ステップＳ２０８、ステップＳ２０９の処理を経て基地局２０へ送信する。
【０１０１】
このとき、単位時間（Ｔ）において受信した待ち合わせ中のリアルタイムページング数が、インタフェース上送信可能な最大ページング送信数より少なく送信数に余裕があるときは、ステップＳ２０５へ移行し、単位時間（Ｔ＋１）において待ち合わせたノンリアルタイムページングを余裕送信数分だけ、単位時間（Ｔ＋１）において受信した待ち合わせ中のノンリアルタイムページング（ＮＲＴ１、またはＮＲＴ２）と併せて基地局２０へ送信する。
【０１０２】
また、単位時間（Ｔ）において待ち合わせたノンリアルタイムページング数が最大ページング送信数より多い場合は、残りのノンリアルタイムページングはメモリに残り再び待ち合わせ状態となる。
【０１０３】
ステップＳ２１４における判定結果が輻輳状態（単位時間（Ｔ−１）における輻輳状態が継続しているとき）であるときは、メモリに一時格納して待ち合わせしていたノンリアルタイムページングの待ち合わせを継続すると共に、ステップＳ２１１へ移行し単位時間（Ｔ＋２、Ｔ＋３、ＴＮ）毎に同様な動作を繰り返す（Ｓ２１４）。
【０１０４】
ステップＳ２１２〜Ｓ２１４における動作を繰り返し、予め設定した最大待ち合わせ時間（単位時間Ｔ×Ｎ回）内に輻輳状態が継続し非輻輳状態に復旧しない場合には、メモリに一時格納し待ち合わせ中であったノンリアルタイムページング信号を破棄する（Ｓ２１５）。
【０１０５】
ステップＳ２０３、ステップＳ２０７、ステップＳ２０９におけるリアルタイムページング（ＲＴ）、対戦ゲームページング（ＮＲＴ１）、対戦ゲームページング（ＮＲＴ１）以外のノンリアルタイムページング（ＮＲＴ２）をそれぞれ送信後、移動通信端末１０が応答すると音声通話、対戦ゲーム、メール受信が行われる。
【０１０６】
【発明の効果】
以上説明したように本発明の第１の実施の形態（請求項１〜６）によれば、基地局制御局において、リアルタイムを要求しないパケットページング（ノンリアルタイムページング）を待ち合わせ、音声通話ページングを優先して接続することによって、基地局に対する瞬間的なページング集中負荷を時間的に分散できる。
【０１０７】
また、基地局において破棄されるリアルタイムページングが減り、音声通話呼損が減り、音声通話が接続し易くなる。
【０１０８】
基地局制御局において、ノンリアルタイムページングの破棄が発生するが、パケット交換局からの再送によってパケット通信も保証される。
【０１０９】
また、基地局のメモリ容量を大きくすることなく、既存の基地局をそのまま使用することができる。
【０１１０】
また、待ち合わせ中のノンリアルタイムページングは、所定の単位時間経過後に破棄されるので、基地局制御局のメモリも、従来技術の場合より小さな容量で済む。
【０１１１】
第２の実施の形態（請求項７〜１４）によれば、第１の実施の形態における上記効果に加え、ノンリアルタイムページングを、応答速度が要求されるノンリアルタイムページング（ＮＲＴ１：例えば対戦ゲームページング）とそれ以外のノンリアルタイムページング（ＮＲＴ２：例えばメール送信）とに区分し、リアルタイムページング（ＲＴ）、ノンリアルタイムページング（ＮＲＴ１）、ノンリアルタイムページング（ＮＲＴ２）の順に優先順序を付して輻輳処理を行うので、例えば素早い応答が要求される対戦ゲームページングを、その他の例えばメール送信ページングに優先して処理することができる。
【図面の簡単な説明】
【図１】本発明の主要構成を示すシステム構成図である。
【図２】本発明の第１の実施の形態の基地局制御局におけるページング負荷分散制御のフローチャートである。
【図３】本発明の第２の実施の形態のページング種別対応の送信制御方法を説明するための図である。
【図４】本発明の第２の実施の形態の基地局制御局におけるページング負荷分散制御のフローチャートである。
【図５】従来の呼出信号送信システムの構成図である。
【図６】従来の呼出信号送信システムのフローチャートである。
【符号の説明】
１０　　移動通信端末
２０　　基地局
３０　　基地局制御局
４０　　回線交換機
５０　　関門交換機
６０　　固定電話網
７０　　パケット交換機
８０　　ゲートウェイ
９０　　インターネット網
１００　　基地局
１１０　　バッファリング部
１１１　　リアルタイム用バッファ
１１２　　非リアルタイム用バッファ
１１３　　判定部
１２０　　無線変復調部
２００　　制御局
３００　　移動局
【図１】
2004032294.tif 000003
【図２】
2004032294.tif 000004
【図３】
2004032294.tif 000005
【図４】
2004032294.tif 000006
【図５】
2004032294.tif 000007
【図６】
2004032294.tif 000008